(57)【要約】【課題】  運動直後、入浴直後に測定できる体組成計を提供する。【解決手段】  電流印加用電極及び電圧測定電極と、これら電極により測定された測定値から生体電気インピーダンスを測定する。この生体電気インピーダンスから体組成を求める演算手段とを備えている。加えて、体温を検出する体温検出手段と、脈を検出する脈検出手段と、体温と脈の回数（心拍数、脈拍数）とにより、求める体組成の補正を行う補正手段とを備える。また、脈検出手段は、親指で脈を検出する脈検出手段である。また、補正手段は、体温が高く脈の回数が多い場合と、体温が低く脈の回数が低い場合とに補正を行う。さらに、補正を行う脈の回数についての学習を行う学習手段を備える。【選択図】  図２
2009005842.tif 000002
【特許請求の範囲】
【請求項１】
電流印加用電極及び電圧測定電極と、これら電極により測定された測定値から生体電気インピーダンスを測定し、該生体電気インピーダンスから体組成を求める演算手段とを備えた体組成測定装置であって、
体温を検出する体温検出手段と、
脈を検出する脈検出手段と、
前記検出された体温と脈の回数とにより、求める前記体組成の補正を行う補正手段とを備える
ことを特徴とする体組成測定装置。
【請求項２】
前記脈検出手段は、光学的センサであることを特徴とする請求項１に記載の体組成測定装置。
【請求項３】
前記脈検出手段は、重量センサ、電磁気的センサ、又は圧力センサであることを特徴とする請求項１に記載の体組成測定装置。
【請求項４】
前記脈検出手段は、親指の脈を検出する脈検出手段であることを特徴とする請求項１乃至３のいずれか１項に記載の体組成測定装置。
【請求項５】
前記補正手段は、前記体温があらかじめ平熱として定めた所定の温度より高い場合若しくは所定の温度より低い場合、又は前記脈の回数があらかじめ定めた所定の回数より多い場合若しくは所定の回数より低い場合に補正を行う補正手段である
ことを特徴とする請求項１乃至４のいずれか１項に記載の体組成測定装置。
【請求項６】
前記補正を行う脈の回数のしきい値についての学習を行う学習手段を更に備えることを特徴とする請求項１乃至５のいずれか１項に記載の体組成測定装置。
【請求項７】
前記演算手段は、前記脈から血管年齢を更に測定する演算手段であることを特徴とする請求項１乃至６のいずれか１項に記載の体組成測定装置。
【請求項８】
前記血管年齢と前記体組成により、メタボリックシンドロームについての判定を行うアドバイス手段を更に備える
ことを特徴とする請求項７に記載の体組成測定装置。
【請求項９】
電流印加用電極及び電圧測定電極と、これら電極により測定された測定値から生体電気インピーダンスを測定し、該生体電気インピーダンスから体組成を求める演算手段とを備えた体組成測定装置における体組成測定方法であって、
体温を検出し、脈を検出し、
前記体温と前記脈の回数とにより、求める前記体組成の補正を行う
ことを特徴とする体組成測定方法。
【発明の詳細な説明】
【技術分野】
【０００１】
本発明は、特に体組成測定装置、体組成測定方法に関する。
【背景技術】
【０００２】
近年、健康意識の高まりから、体重だけではなく体脂肪率等を含む体組成を測定する体組成測定装置の需要が増えている。
【０００３】
この体組成を知るためには、生体電気インピーダンス（ＢＩ：ｂｉｏｅｌｅｃｔｒｉｃ  ｉｍｐｅｄａｎｃｅ）の測定を行うのが簡便で正確である。
身体内の脂肪組織と電解質を含む体水分との電気伝導度の違いを利用した生体電気インピーダンスの測定により、体脂肪、筋肉量、基礎代謝量等が測定できる体組成測定装置が市販されている。
【０００４】
例えば、特許文献１を参照すると、電極を切り替えつつ測定し、細胞レベルでの加齢変化を測定する機能をもつ体組成測定装置が存在する（以下、従来技術１とする。）。
【特許文献１】特開２００４−３２９４１２号公報
【発明の開示】
【発明が解決しようとする課題】
【０００５】
しかし、従来技術１の体組成測定装置は、脂肪組織と体水分との電気伝導度の違いを利用して、体組成を測定しているため、朝、寝起き直後の身体内の体水分の分布が変化している際には、測定精度があまり高くなかった。そこで、寝起きからしばらく経った後で、体組成を測定する必要があった。
また、同様に、急激な運動をした後や入浴直後等にも、同様に身体内の体水分の分布や電解質濃度が変化しており、測定精度が高くなかった。そこで、スポーツクラブで運動した直後や銭湯から出た直後等には、体組成を測定しない方が良いという注意を行っていた。
【０００６】
本発明は、このような状況に鑑みてなされたものであり、上述の課題を解消することを課題とする。
【課題を解決するための手段】
【０００７】
本発明の体組成測定装置は、電流印加用電極及び電圧測定電極と、これら電極により測定された測定値から生体電気インピーダンスを測定し、該生体電気インピーダンスから体組成を求める演算手段とを備えた体組成測定装置であって、体温を検出する体温検出手段と、脈を検出する脈検出手段と、前記検出された体温と脈の回数とにより、求める前記体組成の補正を行う補正手段とを備えることを特徴とする。
本発明の体組成測定装置は、前記脈検出手段は、光学的センサであることを特徴とする。
本発明の体組成測定装置は、前記脈検出手段は、重量センサ、電磁気的センサ、又は圧力センサであることを特徴とする。
本発明の体組成測定装置は、前記脈検出手段は、親指の脈を検出する脈検出手段であることを特徴とする。
本発明の体組成測定装置は、前記補正手段は、前記体温があらかじめ平熱として定めた所定の温度より高い場合若しくは所定の温度より低い場合、又は前記脈の回数があらかじめ定めた所定の回数より多い場合若しくは所定の回数より低い場合に補正を行う補正手段であることを特徴とする。
本発明の体組成測定装置は、前記補正を行う脈の回数のしきい値についての学習を行う学習手段を更に備えることを特徴とする。
本発明の体組成測定装置は、前記演算手段は、前記脈から血管年齢を更に測定する演算手段であることを特徴とする。
本発明の体組成測定装置は、前記血管年齢と前記体組成により、メタボリックシンドロームについての判定を行うアドバイス手段を更に備えることを特徴とする。
本発明の体組成測定方法は、電流印加用電極及び電圧測定電極と、これら電極により測定された測定値から生体電気インピーダンスを測定し、該生体電気インピーダンスから体組成を求める演算手段とを備えた体組成測定装置における体組成測定方法であって、体温を検出し、脈を検出し、前記体温と前記脈の回数とにより、求める前記体組成の補正を行うことを特徴とする。
【発明の効果】
【０００８】
本発明によれば、生体情報を測定して補正を行うことで、より正確な体組成測定装置を提供することができる。
【発明を実施するための最良の形態】
【０００９】
＜実施の形態＞
（体組成測定装置の構成）
図１は、本発明の一実施例である体組成測定装置の外観斜視図である。測定装置１は被験者が体重を測定するために載る載せ台８に、被験者の左足の底面が接する電極部３（詳細には、３ａと３ｂ）と、右足の底面が接する電極部４（詳細には、４ａと４ｂ）とを備えている。この電極部３は、電流を流すための電流印加電極３ａと、電圧を測定する電圧測定電極３ｂとからなる。同様に、載せ台８に被験者の右の足の底面が接する電極部４も、電流を流すための電流印加電極４ａと、電圧を測定する電圧測定電極４ｂとからなる。
【００１０】
また測定装置１には、各種の入力をするための、入力部２を備える。入力部２は、個人別測定用キー２ａ、２ｂ、２ｃ、２ｄ、体重測定専用キー２ｅ及びタッチパネル２ｆからなり、これらは測定装置１の外部から操作可能に備えられる。
具体的には、個人別測定用キー２ａ、２ｂ、２ｃ、２ｄは、測定装置１の側面部に備えられ、生体電気インピーダンスの測定及び体重の測定のために、個人を特定するための入力に使用される。体重測定専用キー２ｅは、測定装置１の側面部に備えられ、体重だけの測定のための入力に使用される。
タッチパネル２ｆはタッチパネル式の入力装置であり、測定装置１の上面部に備えられている。このタッチパネル２ｆは、本装置の電気系統各部への電力供給停止（スリープ状態への移行）、個人パラメータ（年齢、性別、身長などの身体に係る属性や特徴を示す指標）の登録、測定結果の表示などのための入力に使用される。
また測定装置１の上面には、測定結果を表示する有機ＥＬ、電子ペーパー、ドットマトリクスＬＣＤ等からなる表示手段である表示装置７が設けられている。
【００１１】
さらに、測定装置１の側面からは、左手用のグリップ１３が、コード１５を介して接続されている。また、右手用のグリップ１４も、コード１６を介して接続されている。
左手用のグリップ１３には、電流を流すための電流印加電極１３ａと、電圧を測定する電圧測定電極１３ｂとが設けられている。同様に、右手用のグリップ１４には、電流を流すための電流印加電極１４ａと、電圧を測定する電圧測定電極１４ｂとが設けられている。
被測定者の測定時に、左手の手のひらの皮膚が電流印加電極１３ａと、電圧測定電極１３ｂに接触することができる。同様に、右手の手のひらの皮膚が、電流印加電極１４ａと、電圧測定電極１４ｂに接触することができる。
【００１２】
また、右手又は左手用のグリップのどれか１つ又は両方に、脈と体温を検出する光学的センサであるセンサ１７（脈検出手段、体温検出手段）を備える。
ここで、本発明の実施の形態に係るセンサ１７が備えられている電極用グリップを拡大した図２を参照して説明する。
センサ１７は、この例では、グリップ１３の左手親指を差し込み可能に備えられている。このように、親指にセンサ１７をあてがうようにしているため、他の指で電極用グリップを掴むと、手の平が電極に接触するようになるので、この状態で電流を印加して測定することができる。このため、生体電気インピーダンス測定に都合がよい。
【００１３】
センサ１７について具体的に説明すると、センサ１７は赤外線ＬＥＤ（発光ダイオード）と検出素子のフォトダイオードを備えている。これにより、親指の温度を検出して体温を測定し、親指を流れる脈を検出して指尖容積脈波を測定することができる。
赤外線センサを用いた体温測定に関しては、例えば特開２００１−３４０３０２号公報の段落〔００１４〕を参照すると、最大温度検出のためのピークサーチを用いて、体温を検出する方法が記載されている。本発明の実施の形態に係るセンサ１７に関しては、このような技術を基にして、親指が発する赤外線を電気抵抗値として検出し、この検出した電気抵抗値に対応する温度より親指の温度を検出する。この親指の温度を基に、体幹の温度と親指の温度の関係を示す回帰式より、測定者の体温を求める。
【００１４】
次に、脈の検出については、特開２００１−２３１７５８号公報の段落〔００２０〕を参照すると、光電式センサにより脈波を検出する方法が記載されている。本発明の実施の形態に係るセンサ１７に関しては、このような技術を基にして、血液の密度の変化に対応する指尖容積脈波を検出する。
具体的には、センサ１７の爪側にある赤外線ＬＥＤは、血管中を流れる赤血球のヘモグロビンに特異的な吸光度を持つ。この赤外線ＬＥＤが点灯すると、通過する血流の容積変化に対応する光をフォトダイオードの抵抗として検出できる。このフォトダイオードの抵抗の変化を継続的に読み取ることで、透過した光の波形を読み取ることができる。すなわち、血流の変化に対応する光の波形の変化を、指先の血流の容積変化の波形の変化として読み取ることができる。この波形の変化を、指尖容積脈波として検出する。
【００１５】
この指尖容積脈波から、脈の回数を測定可能である。
また、指尖容積脈波に関しては、齢が高くなりコレステロールの沈着等により血管が硬化してくると、波形に特徴が現れることが分かっている。
よって、この特徴を観察し、どの程度の年齢の人の指尖容積脈波の波形の特徴と同様であるかを比較することで、血管の硬化度に対応する指標である血管年齢を測定可能である。
なお、この赤外線ＬＥＤとフォトダイオードは、それぞれ親指の爪側と手のひら側のいずれかに対になって備えることができる。
【００１６】
図３は、本発明の実施の形態に係る測定装置１の制御ブロック図である。電流印加用電極および電圧測定用電極であり、左右の手足に接する、それぞれ電流印加電極３ａ、４ａ、１３ａ、１４ａと、電圧測定電極３ｂ、４ｂ、１３ｂ、１４ｂの８電極が電極切替装置２０に接続されている。
この電極切替装置２０は、電流供給装置２１と、電圧測定装置２２とを介して制御手段である演算制御装置２５に接続される。
【００１７】
演算制御装置２５は中央演算装置（ＣＰＵ）やマイクロコンピュータ等を備え、印加電流と測定電圧から生体電気インピーダンスを算出する演算手段であり、また算出された生体電気インピーダンスの補正を行う補正手段でもある。さらに、センサ１７からの信号を読み取るために、脈波センサを駆動するための駆動回路と、ノイズを除去するためのローパスフィルタ等の回路と、増幅回路と、デジタルな脈波信号に変換する為のＡ／Ｄ変換回路とを備えている。
以下で、センサ１７からの信号を演算制御装置が読み込む場合は、駆動回路によりＬＥＤの点灯やセンサの駆動等の制御をする。また、読み取ったフォトダイオードの抵抗の変化を、増幅回路により増幅し、ローパスフィルタによりノイズを除去した上で、信号をＡ／Ｄ変換回路により数値化する。
更に、演算制御装置２５は、体組成に関する指標を算出する体組成算出手段でもあり、他にも各種の演算や制御を行う。
【００１８】
また、演算制御装置２５は、各種データ等を記憶する記憶手段であるレジスタ、ＲＡＭ、ＲＯＭ、バッテリバックアップＳＲＡＭ、不揮発性のフラッシュメモリ又はＨＤＤ等である記憶装置２４と、被験者の体重を測定する体重測定装置２６とに接続されている。加えて、演算制御装置２５は、入力部２と表示装置７とに接続されている。さらに、ＰＣ（パーソナル・コンピュータ）等である他のコンピュータに接続することができるＵＳＢ（ユニバーサル・シリアル・バス）、ＬＡＮ（ローカル・エリア・ネットワーク）等の端子又は、無線ＬＡＮ、Ｂｌｕｅｔｏｏｔｈ（登録商標）、ワイヤレスＵＳＢの接続装置等である通信装置６０に接続されている。
記憶装置２４は、更に、バッテリバックアップＳＲＡＭ、不揮発性のフラッシュメモリ、ＨＤＤ内の記憶領域に、個人番号に対応した体組成に関する測定値と平均値等を保存する。  体重測定装置２６は、より具体的には、公知の体重計の如き、重量検出部、増幅部、Ａ／Ｄ変換部、体重演算部などを載せ台８及び基台９の内部に備え、体重を測定する。
電源装置２８は演算制御装置２５やその他の各装置に電力を供給するものである。
【００１９】
（体組成の測定）
（初期設定）
まず、工場出荷直後又はファクトリー・リセットを行って、記憶装置２４のフラッシュメモリ内に記憶している個人パラメータが存在しない状態で、電源装置２８の図示しない電池を挿入又はＡＣアダプターを接続して電源を投入した場合の初期設定の処理について説明する。
電源を投入した直後から、演算制御装置２５は、記憶装置２４のファームウェアに記憶している初期化処理を行う。これにより、演算制御装置２５は各部の初期化を行い、図示しない初期画面を表示装置７に表示する。
【００２０】
ここで、測定者は、まずは個人別測定用キー２ａ、２ｂ、２ｃ、２ｄのいずれかを押下し、自らの個人パラメータを入力する個人番号を選択する。２ａ〜２ｄが、それぞれ、個人番号１〜４に対応している。後述するように、体重や体組成等を測定する場合、測定値が、記憶装置２４の個人番号に対応したフラッシュメモリ内の記憶領域に記憶される。なお、個人番号は１〜４に限られず、個人番号をタッチパネル２ｆの数字キー等により、直接に入力してもよい。
【００２１】
この個人番号を選択した後、測定者は、タッチパネル２ｆの数値キー等により、自らの性別、年齢、身長、着衣の重量といった個人パラメータを入力する。また、通信装置６０を介して他のコンピュータから入力してもよい。
この個人パラメータのデータに関しては、演算制御装置２５が、記憶装置２４の個人番号に対応したフラッシュメモリ内の記憶領域に記憶する。
この個人パラメータの入力が間違っていた場合、再度入力することも可能である。
【００２２】
さらに、表示装置７に表示された指示に従い、測定者は左手用のグリップ１３を握り、親指をセンサ１７に挿入する。
これにより、演算制御装置２５は、測定者の通常の体温である平熱をフォトダイオードの抵抗の値をＡ／Ｄ変換することにより測定する。これは上述のように、親指から発せられる赤外線をフォトダイオードが検出することにより行う。
次に、センサ１７のＬＥＤを点灯し、測定者の血流の変化を上述のようにフォトダイオードの抵抗の変化として検出する。このフォトダイオードの抵抗の変化は、演算制御装置２５がＡ／Ｄ変換回路により数値に変換し、指尖容積脈波として記憶装置２４のＲＡＭに記憶する。
この指尖容積脈波から、所定時間内の脈の回数を心拍数（脈拍数）として割り出す。この心拍数についても、測定者の心拍数として、他の個人パラメータと同様に記憶する。
さらに、寝起き直後に測定者の脈を測定して、安静時心拍数として記憶することも可能である。
【００２３】
次に、本発明の実施の形態に係る体組成の測定について、フローチャートである図４を参照して説明する。
【００２４】
（ステップＳ１０１）
まず、ステップＳ１０１において、測定者が個人別測定用キー２ａ、２ｂ、２ｃ、２ｄ、又は体重測定専用キー２ｅのいずれかを押下する。
これにより、演算制御装置２５は、図示しない時計部等のみに電流を入力している省電力状態であるスリープ状態から復帰する。これにより、記憶装置２４のＲＯＭ又はフラッシュメモリ等に記憶されたファームウェアのうち、測定に関するプログラムを起動して実行し始める。
また、演算制御装置２５は、それぞれの個人別測定用キーに対応する個人番号又は、体重測定専用キー２ｅが押された情報についても、記憶装置２４のＲＡＭに記憶する。
【００２５】
次に、各部の初期化処理が終了した場合、演算制御装置２５が、起動を終了して測定準備完了した旨を、表示装置７に表示する。
これにより、測定者は、演算制御装置２５が表示装置７に表示した指示に従い、グリップ１３と１４を左手と右手に握り、親指をセンサ１７で測定できるように挿入する。
そして、測定者は載せ台８の上に立ち、左足裏を電流印加電極３ａと電圧測定電極３ｂに合わせ、右足裏を電流印加電極４ａと電圧測定電極４ｂに合わせる。
この上で、演算制御装置２５は、体重測定装置２６により測定する測定者の体重の変異が、ある一定値以下になった際に、実際の測定処理を開始する。
【００２６】
（ステップＳ１０２）
次に、ステップＳ１０２においては、体重測定装置２６が、その加重を検知して、測定者の重量を測定する。
ここで、測定者が体重測定専用キー２ｅを押下していた場合、この情報を検知した演算制御装置２５は、測定を終了して、表示装置７に体重を一定時間表示した後、スリープ状態へ移行し、測定を終了する。
また、測定者が個人別測定用キー２ａ〜２ｄを押下していた場合、測定した体重については、体重測定装置２６が、記憶装置２４の個人番号に対応するフラッシュメモリ内の領域に記憶する。この上で、演算制御装置２５は、処理を次のステップＳ１０３に進める。        
【００２７】
（ステップＳ１０３）
ステップＳ１０３においては、センサ１７により、測定者の体温と指尖容積脈波の測定を行う。
このステップについて、より詳しく説明した図５のフローチャートを参照して説明する。
【００２８】
（ステップＳ１０３１）
ステップＳ１０３１においては、記憶装置２４に記憶されている体温測定用プログラムにより、体温を測定する。具体的には、上述のようにセンサ１７は赤外線を検知できるフォトダイオードを備えており、検知した赤外線の値に応じてダイオードの抵抗が変化する。このフォトダイオードの抵抗を、演算制御装置２５がＡ／Ｄ変換回路により数値に変換することで温度の検出を行う。
本発明の実施の形態に係る測定装置１のセンサ１７は、身体の赤外線を検知しているので温度を正確に測定することができるため、体温計として用いることができる。検出した数値を基にして、測定者の体温を測定する。測定した温度は、演算制御装置２５が記憶装置２４のＲＡＭに記憶する。
【００２９】
（ステップＳ１０３２）
次に、ステップＳ１３０２においては、記憶装置２４に記憶されている脈波測定用プログラムにより、指尖容積脈波を測定する。具体的には、演算制御装置２５がセンサ１７のＬＥＤを点灯し、上述のように、測定者の血液のヘモグロビンに吸収された光の変化をフォトダイオードの抵抗の変化として測定する。
このフォトダイオードの抵抗の変化は、演算制御装置２５がＡ／Ｄ変換回路が数値に変換し、指尖容積脈波として記憶装置２４のＲＡＭに記憶する。
【００３０】
（ステップＳ１０３３）
次に、このステップＳ１０３３においては、上述の脈波測定プログラムにより、脈波の周期を測定し、所定時間内の脈の回数を心拍数（脈拍数）として測定する。この値についても、演算制御装置２５が、記憶装置２４のＲＡＭに記憶する。
心拍数（脈拍数）の値は、後に生体インピーダンス測定の値を補正するために使用する。
【００３１】
（ステップＳ１０３４）
次に、ステップＳ１０３４においては、記憶装置２４に記憶されている血管年齢測定プログラムにより、演算制御装置２５が指尖容積脈波の特徴を検出し、血管年齢を算出する処理を行う。
具体的には、演算制御装置２５は、記憶装置２４のＲＡＭに記憶した脈波を２回微分等の処理を行う。これは、指尖容積脈波は、そのままの波形では特徴を観察することが難しいが、２回微分した「加速度」脈波を観察すると、動脈や弁等の動脈系全体の血管の情報を観察できることが分かっているためである。
具体的には、加速度脈波の第１ピークと、第２ピークの差の比率等を算出して、記憶装置２４のＲＯＭに記憶した平均的な各年齢の人の比率のテーブルと比較し、どの年齢の人とよく一致しているかを求めることで、血管年齢を算出する。この比較には、同様に記憶装置２４のＲＯＭに記憶した回帰式を用いてもよい。
また、血管年齢の算出に関しては、演算制御装置２５が、処理を行った脈波の特徴をベイズ推定等により各年齢層の脈波と直接比較して、血管年齢を算出してもよい。
血管年齢は、加齢とともに血管内皮にコレステロール等が沈着して硬化しているかどうかの指標となるため、後述する体組成のアドバイスの際に利用することができる。
血管年齢を算出し終わると、演算制御装置２５は、脈波測定処理を終了する。
【００３２】
（ステップＳ１０４）
図４に戻り、説明を続けると、ステップＳ１０４においては、演算制御装置２５が、生体電気インピーダンス（生体ＢＩ）の測定を行う。
この際に行われる、複数の周波数の交流電流を用いた生体電気インピーダンス測定の動作について以下で説明する。
【００３３】
生体電気インピーダンス測定は、印加する電流の周波数Ｆｉをｉ＝１からはじめて、設定されているｎ回に亘り行う。
第一番目の周波数における測定の初期設定として、ｉ＝１が設定され、このｉの値によって周波数Ｆｉが設定される。演算制御装置２５は出力信号周波数を設定し、その出力信号を電流供給装置２１へ出力する。
電流供給装置２１は、電流値が設定可能な定電流出力回路で構成されており、測定制御パラメータを基に出力電流値を設定する。
その交流電流出力は、電極切替装置２０を介して切り替えた、身体の各部に対応する電流印加電極により、測定者に印加される。これを、電極切替装置２０を介して切り替えた、対応する電圧測定電極で測定する。
【００３４】
この測定時には、測定者に流れる電流を別途設けられた基準抵抗（図示しない）より検出し、その出力のアナログ信号を演算制御装置２５内のＡ／Ｄ変換器を用いてデジタル信号に変換し、その結果を記憶装置２４のＲＡＭに記憶する。
同時に、測定者に接触された身体の各部に対応する電圧測定電極を通して測定された電圧が電圧測定装置２２内の差動増幅回路に入力され、差動増幅回路は、入力されたそれぞれの電圧の差である信号を演算制御装置２５内のＡ／Ｄ変換器に出力する。Ａ／Ｄ変換器は、入力されたアナログ信号をデジタル信号に変換することで生体電気インピーダンスを測定し、その結果をＲＡＭに記憶する。
【００３５】
第一番目の周波数によるインピーダンス測定が終了したら、ｉに１を加えて、規定の測定回数を終了していないか判定する。ここで、ｉが設定回数のｎを越えていたら、インピーダンスの測定は終了となり、未だ越えていなければ、次の周波数でのインピーダンス測定を行う。
【００３６】
続いてステップＳ１０４で測定された生体電気インピーダンス測定値から、生体電気インピーダンスベクトル軌跡およびそれに関するパラメータを算出する。
通常、生体電気インピーダンスは、図６に示すような、細胞外液抵抗Ｒｅ、細胞内液抵抗Ｒｉ、細胞膜容量Ｃｍを集中定数で表現した等価回路で表されるが、実際には、生体を構成する個々の細胞が、その形状や性質の差異により、それぞれ定数の異なる回路で表されるため、その集合体である生体では、集中定数による等価回路を測定した場合のように、生体電気インピーダンスベクトル軌跡は半円とならずに、コール−コールの円弧則に従う円弧となるとされている。
【００３７】
従って、一般に、生体電気インピーダンスは、図７に示すような円弧状の軌跡を描く。ここで、Ｘ軸は生体電気インピーダンスのレジスタンス成分を表し、Ｙ軸は生体電気インピーダンスのリアクタンス成分を表す。生体電気インピーダンスのリアクタンス成分は容量性なので負の値をとるため、生体電気インピーダンスベクトル軌跡は、Ｘ軸の下方に位置し、また、求める生体電気インピーダンスベクトル軌跡は円弧であるという仮定から、周波数Ｆ１、Ｆ２、…、ＦＮの各々における生体電気インピーダンス測定値Ｚ１、Ｚ２、…、ＺＮは、ある円の円周上にある。ここで、円の中心のＸ座標をａ、円の中心のＹ座標をｂ、円の半径をｒとすると、生体電気インピーダンス測定値を通る円の方程式は式１のように表される。
【００３８】
（Ｘ−ａ）2＋（Ｙ−ｂ）2＝ｒ2   ……  （式１）
ａ、ｂ、ｒは、式１に、周波数Ｆ１、Ｆ２、…、ＦＮにおける生体電気インピーダンス測定値Ｚ１、Ｚ２、…、ＺＮを代入することにより求められる。
【００３９】
また、式１から、Ｘは以下のように表される。
Ｘ＝ａ±ｓｑｒｔ（ｒ2−ｂ2）  ……  （式２）
なお、ｓｑｒｔ（）は平方根を示す。
【００４０】
そして、式２より、式１で表される円とＸ軸との交点Ｒ0、Ｒinf（Ｒ0＞Ｒinf）は、以下のように求められる。
Ｒ0    ＝  ａ＋ｓｑｒｔ（ｒ2−ｂ2）  ……  （式３）
Ｒinf  ＝  ａ−ｓｑｒｔ（ｒ2−ｂ2）  ……  （式４）
【００４１】
更に、式３および式４より、図６の等価回路におけるＲｅおよびＲｉは以下のように求められる。
Ｒｅ＝Ｒ0                              ……  （式５）
Ｒｉ＝Ｒ0・Ｒinf／（Ｒ0−Ｒinf）       ……  （式６）
【００４２】
特性周波数Ｆcにおける生体電気インピーダンスベクトルＺcは、リアクタンス成分、すなわちＹ軸成分の絶対値が最大になる点であるから、その場合のレジスタンス成分であるＸ座標値およびリアクタンス成分であるＹ座標値は以下のように算出される。
Ｘ＝ａ        ……  （式７）
Ｙ＝ｂ−ｒ    ……  （式８）
【００４３】
ここで、ＲcはＺcのレジスタンス成分、ＸcはＺcのリアクタンス成分とすると、Ｚcは以下のように表される。
Ｚc＝Ｒc＋ｊＸc＝ａ＋ｊ（ｂ−ｒ）    ……  （式９）
【００４４】
また、Ｚ（ω）はωにおける生体電気インピーダンスベクトル、τ、βは定数とすると、コール−コールの円弧則から、任意の角周波数ωにおける生体電気インピーダンスベクトルは以下のように表される。
Ｚ（ω）＝（Ｒ0−Ｒinf）／｛１＋（ｊωτ）β｝  ……  （式１０）
【００４５】
更に、τ＝１／ωｃとして、式１０は以下のように表される。
Ｚ（ω）＝（Ｒ0−Ｒinf）／｛１＋（ｊω／ωｃ）β｝  ……  （式１１）
【００４６】
ここで、ωｃ＝２πＦcであるから、先に測定された生体電気インピーダンス測定値を用いて、Ｆcおよびβが求められる。
【００４７】
（ステップＳ１０５）
次に、ステップＳ１０５においては、演算制御装置２５が、上述のステップＳ１０３の脈波測定処理において測定した体温と心拍数（脈拍数）について、規定値と比べて異常がなかったかどうかを判断する。この判断により、生体電気インピーダンス測定の値の補正を行うかどうかを決める。
すなわち、本発明の実施の形態に係る測定装置１は、測定時の心拍数（脈拍数）又は／及び測定時の体温が、平常時の心拍数（脈拍数）又は／及び平常時の体温と異なった場合に、測定した生体電気インピーダンスを補正し、この補正した生体電気インピーダンスに基づいて体組成に関する指標を算出する。このため、補正を行うかどうかを判断する必要がある。
【００４８】
補正を行うかどうかについての判断に際しては、まず、記憶装置２４の個人番号に対応したフラッシュメモリ内の記憶領域に記憶されている測定者の平常時の心拍数（脈拍数）と比較して、測定時の心拍数（脈拍数）の回数が平常時の心拍数（脈拍数）より多いか少ないかについて判定する。
すなわち、平常時の心拍数（脈拍数）が、例えば平常時の心拍数（脈拍数）と比べて２０泊／分以上多い場合、このステップＳ１０５にて脈の異常あり、つまりＹｅｓと判断する。
逆に、測定時の心拍数（脈拍数）が平常時の心拍数（脈拍数）と比べて例えば１０泊／分以上少ない場合、これも異常ありで、Ｙｅｓと判断する。
さらに、体温が平熱よりも高いか低いかについても判定する。測定時の体温が平熱よりも例えば１℃以上高いか、例えば１℃以上低い温度だった場合は、体温の異常あり、つまりＹｅｓと判断する。
【００４９】
ここで、心拍数（脈拍数）や体温が高い場合としては、運動直後や入浴後であることが考えられる。
また、心拍数（脈拍数）や体温が低い場合としては、寝起き直後であることが考えられる。
【００５０】
心拍数（脈拍数）のみ高く体温が平熱か平熱より低い場合は、「頻脈の可能性あり、病院に行きましょう」というエラー表示を表示装置７に表示して、測定を終了する。
また、病気で発熱している際には体温が高く心拍数（脈拍数）は普通のことが多いため、体温が高い旨の警告表示を表示装置７に表示する。
【００５１】
以上の場合以外は、ステップＳ１０５においては、Ｎｏと判断する。
【００５２】
（ステップＳ１０６）
ステップＳ１０６においては、演算制御装置２５が、上述のステップＳ１０４で測定する生体電気インピーダンスの値を、上述の心拍数（脈拍数）と体温の値に従って補正する。
まず、心拍数（脈拍数）についての補正の概念を示すグラフである図８を参照すると、心拍数（脈拍数）と生体電気インピーダンスの関係としては、心拍数（脈拍数）が大きくなると生体電気インピーダンスが小さくなり、心拍数（脈拍数）が小さくなると生体電気インピーダンスが大きくなるという傾向がある。
【００５３】
上述のような関係が生じる理由は、生体電気インピーダンス測定において、身体の特定の部位間に流れる電流は、電解質を多く含む体水分中に流れるためである。体水分は、主に細胞内液と細胞外液とに分けられる。細胞外液は、細胞間質液、血液、リンパ液などに分けられ、細胞内環境を維持する役目を担い、量的な変動を起こしやすい。
なかでも、血液量は心拍数（脈拍数）に基因して変動する。そして、平常状態（安静状態）から運動している時などの活動状態（身体の活動が高い状態）になると心拍数（脈拍数）が多くなり、心臓から排出される血液量が増加し、特定の部位間の血液量が増加する。これにより、生体電気インピーダンスが低下する。
逆に、運動している時などの活動状態から平常状態に戻すと心拍数（脈拍数）が少なくなり、心臓から排出される血液量が減少し、特定の部位間の血液量が減少する。これにより、生体電気インピーダンスが上昇する。
【００５４】
また、体温についての補正の概念を示すグラフである図９を参照すると、体温と生体電気インピーダンスの関係は、体温が高くなると生体電気インピーダンスが小さくなり、体温が小さくなると生体電気インピーダンスが大きくなる傾向がある。
上述のような関係が生じる理由は、体水分の温度が上がると電気が通じやすくなるためである。
【００５５】
ここで、実際に補正を行う場合、測定時の心拍数が平常時の心拍数と異なった場合には、図８に示すように、Ｚｍ１に対応する心拍数Ｈｌを求め、ΔＨｒ分変化させた心拍数Ｈ２に対応するＺを求めることによって行う。このようなグラフの代わりに、心拍数と補正後の生体電気インピーダンスの値の変化に関するデータテーブルを用意してもよい。
また、測定時の体温が平常時の体温と異なった場合は、図９に示すようなグラフに従い、同様に求める。
測定時の心拍数が平常時の心拍数（脈拍数）と異なり、かつ、測定時の体温が平常時の体温とも異なっていた場合には、それぞれの補正後の生体電気インピーダンスを足して２で割って算出する。
【００５６】
（ステップＳ１０７）
次に、ステップＳ１０７においては、演算制御装置２５が、体組成に関する指標を算出して、記憶装置２４のＲＡＭに記憶する。
ここでは、上述のように生体電気インピーダンス測定値から求められた生体電気インピーダンスベクトル軌跡およびそれに関するパラメータＲ0およびＲinf、ＲeおよびＲi、Ｚc、Ｒc、Ｘc、Ｆc等に基づき、さらに上述のステップＳ１０６で補正した値により、細胞外液量、細胞内液量、体水分液量（細胞外液量と細胞内液量との和）を算出する。
【００５７】
次に、体重と体脂肪率に基づき、体脂肪量を求める。
体脂肪率は、求める部位によって用いるバラメータが異なるが、例えば、性別、身長、体重、年齢、レジスタンス、リアクタンス、インピーダンス等のバラメータに基づいて求めることができる。たとえば、左手左足間の脂肪率から全身脂肪率を求める場合は、男女別に用意した以下のような式から求めることができる：
全身脂肪率  ＝  ｆ（身長、体重、左手左足間のレジスタンス、左手左足間のリアクタンス、左手左足間のインピーダンス）
【００５８】
この他にも、たとえば体脂肪率の他に筋肉量を測定することで、各部の筋肉のつき具合や、筋肉量のバランス等も測定することができる。
【００５９】
（ステップＳ１０８）
次に、ステップＳ１０８において、演算制御装置２５は、測定と演算が終了した旨を表示装置７に表示する。
ここで、演算制御装置は、図示しないブザー等を鳴らし、測定結果を記憶装置２４の個人番号に対応したフラッシュメモリ内の記憶領域に記憶する。この際に、上述の補正を行っている場合、補正前のパラメータと体組成に関する指標についても記憶する。
【００６０】
（ステップＳ１０９）
次に、ステップＳ１０９において、演算制御装置２５は、記憶装置２４に記憶したアドバイスプログラム（アドバイス手段）により、全身と身体の各部の体組成の値を表示装置７に表示し、被験者へのアドバイスを行う。
測定者がタッチパネル２ｆのキーを押下することで、被測定者の個人パラメータにより計算した体組成の量の目標値を表示することも可能である。
さらに、測定者がタッチパネル２ｆのキーを押下することで、測定結果のアドバイスを表示することができる。
このアドバイスに関しては、記憶装置２４のＲＯＭ内に記憶した閾値と文章を基にして表示する。
【００６１】
ここで、本発明の実施の形態に係る体組成の測定装置１は、上述のように求めた細胞外液量、細胞内液量、体水分量、体脂肪率、筋肉量に限らず、内臓脂肪レベル、骨量等の広範囲な体組成に関する指標を測定することができる。
さらに、測定装置１は、８電極型の体組成測定装置なので、身体各部の体組成を測定できるという特徴がある。すなわち、単なる全身の体脂肪率に留まらず、身体の各部の体組成を測定することができる。たとえば、内臓脂肪と皮下脂肪の量、下半身と上半身の筋肉のつき方の差についても測定可能である。
【００６２】
これに加えて、測定装置１では血管年齢についても測定するため、上記のアドバイスプログラムにより、いわゆるメタボリックシンドロームになる危険性についての判定を行うことが可能になる。
たとえば、図１０を参照すると、血管年齢が高く、すなわち血管の内壁にコレステロールが沈着して硬くなっており、さらに内臓脂肪のレベルが高い場合、メタボリックシンドロームになる蓋然性が高くなると考えられるため、この警告を「メタボリックシンドローム度」という数値で表示する。この数値が高いほど、メタボリックシンドロームの危険性が高まる。
このメタボリックシンドロームの判定については、個人パラメータとして血糖値の値を入力することで、さらに正確な判定を行うことができる。
【００６３】
測定結果を確認すると、測定者はタッチパネル２ｆの閲覧終了のボタンを押下するか、又は閲覧終了のボタンを押下せずに所定時間が経過すると、演算制御装置２５は、処理をステップＳ１１０に進める。
【００６４】
（ステップＳ１１０）
次に、ステップＳ１１０において、演算制御装置２５は、学習処理を行う。この学習処理とは、より効果的なアドバイスを行うために用いるため、日々の測定値の変移について記憶して、分析を行う意味である。
具体的には、例えば、記憶装置２４の個人番号に対応したフラッシュメモリ内の記憶領域に記憶している体組成値の平均、標準偏差等を計算する。この上で、上述の補正を行っている値と行っていない値で体組成を求めた場合における補正の値が適正かについて、適合度の統計検定等を行い、上述の補正が適正に行われているかどうかについて調べる。
または、たとえば人工ニューラルネット等の人工知能的な手法や、ベイズ推定等の統計的な手法を用いて、実際の値と心拍数（脈拍数）・体温による補正値が適正になるように、補正用の式のパラメータを最適化する。
【００６５】
さらに、心拍数（脈拍数）の平均値と標準偏差等を求め、上述のステップＳ１０５において、今回測定したの心拍数（脈拍数）がはずれ値であるかを判定し、心拍数（脈拍数）が異常であるか判定するのに使用してもよい。この場合、平均値から統計的に有意に外れている場合、心拍数（脈拍数）が異常であると判定する。
【００６６】
加えて、体脂肪率の変移と血管年齢の変移とを比較し、所定の期間で両方とも高くなっている場合、「メタボリックシンドローム度が上昇しています」という旨のアドバイスを行うことができる。
また、平熱が高い場合、代謝が高くなっていると考えられ、逆に平熱が低い場合は、代謝が低くなっていると考えられる。ここで、体重が減っているのに筋肉が減り体温が低くなっている場合、「代謝が低くなり、痩せにくい体質になっています。リバウンドにご注意下さい」というアドバイスを行うことができる。
【００６７】
これらの測定結果は、通信装置６０を用いて、他のコンピュータへの送信を行うことができる。この場合、他のコンピュータの画面上で、測定結果について確認することが可能である。
【００６８】
これらの学習処理が終了すると、演算制御装置２５はスリープ状態へ移行する。
以上で、測定が終了する。
【００６９】
上述のように構成することで、以下のような効果を得ることができる。
まず、従来技術１の体組成測定装置は、急激な運動をした後や入浴直後等、身体内の体水分の分布や電解質濃度が変化している際には、測定精度が高くなかった。そこで、スポーツクラブで運動した直後や銭湯から出た直後等には、体組成を測定しない方がよいという注意を行っていた。
【００７０】
しかし、本発明の実施の形態に係る体組成測定装置においては、運動や入浴直後であることを体温と心拍数（脈拍数）で検出して、生体電気インピーダンスの値について補正を行う。
このため、スポーツクラブで運動した前と直後で、どの程度のカロリーを消費したのか、体脂肪の変化として実測値で表示することが可能になる。よって、運動を行っている測定者の意欲を高めることが可能になる。
また、銭湯や温泉等で入浴した直後に体組成を測定できるため、従来、銭湯にあった体重計の代替として、本発明の実施の形態に係る体組成計を使用することができる。
また、自宅においては、入浴後のリラックスした状態ですぐに体組成を計ることが可能なため、毎日、体重と体組成のデータを取っている場合は、体組成を計測するのを忘れることが少なくなる。よって、測定者の使い勝手が向上するという効果を得ることができる。
【００７１】
また従来技術１の体組成測定装置は、朝、寝起きで身体内の体水分の分布が変化している際には、測定精度があまり高くなかった。そこで、寝起きからしばらく経った後で、体組成を測定する必要があった。
しかし、本発明の実施の形態に係る体組成測定装置においては、体温と脈拍数で寝起きの状態を検出して補正する。
これにより、従来よりも体組成を正確に測定することが可能になる。
また、体組成計で体組成を継続的に測定する場合、毎日の測定時間を揃えた方がばらつきの少ない結果を得られる。ここで、例えば、ベッドの横に体組成計を置いておいて、測定者が目覚ましでセットした時間、起きた直後に測定するようにすれば、測定時間を揃えることができる。これにより、さらに正確な体組成の測定を行うことが可能になる。
【００７２】
さらに、本発明の実施の形態に係る体組成測定装置は、学習機能を備えているため、体温と心拍数（脈拍数）を用いた体組成補正を適正に行うことができる。
【００７３】
また、従来技術１の体組成計と組み合わせることで、指先脈波を利用した血管年齢の測定等と組み合わせて、より年齢と生活習慣病に即したアドバイスを行うことが可能になる。たとえば、メタボリックシンドロームの進行度のアドバイス等をすることができる。
【００７４】
また、本発明の実施の形態に係る体組成測定装置は、８電極型の体組成計であり、電極のついたグリップを測定者が握る必要があるため、親指で脈波を測定するのが都合がよい。
すなわち、親指以外の指によってグリップを測定者が安定して握ることができるため、握る圧力のばらつきを抑えることができ、安定した生体電気インピーダンスの測定が可能になるという効果が得られる。
よって、振戦等がある等で、測定者がグリップを振り回していても、より正確に体組成を測定することができる。
【００７５】
また、本発明の実施の形態に係る体組成測定装置は、学習機能により、より適正な体組成の変化に対応するアドバイスを行うことが可能である。
【００７６】
なお、本発明の実施の形態に係る測定装置１は、脈波センサを、上向きに親指を包み込むような形状であるように説明したが、このセンサの取り付け方に関しては、親指を差し込む形状であれば、どのようなものであっても構わない。
このバリエーションである図１１を参照すると、親指を斜め向きに挿入部に差し込むグリップであるグリップ１３１や、水平に挟み込むグリップ１３２等の形状が可能である。また、指を入れやすいように左右に隙間があり、フォトダイオードとＬＥＤを上下に備えるようなグリップ１３３も可能である。
なお、いずれのグリップのバリエーションでも、発光部とセンサ部は、それぞれ爪の側でも親指の腹側でも、どちらに備えられていてもよい。
【００７７】
また、上述の実施の形態では、センサ１７を赤外線センサとして説明したが、赤色レーザ発信器と、受光用のＣＣＤセンサを備えた静脈認証用のセンサをセンサ１７として使用することができる。この場合、親指ではなく、たとえば薬指等に当たる箇所にセンサを保持することが可能である。
さらに、手のひらの電圧の変化を電圧測定電極１３ｂ、１４ｂで測定することで、心電図から脈を検出することも可能である。加えて、指先の脈波と手のひらの電圧の変化のスピードから、血圧を測定することが可能である。
【００７８】
また、脈波を計測するためのセンサはピエゾ素子等の圧力センサや電磁気的なセンサ、高精度重量センサ等であってもよい。圧力センサである場合、電極の指先グリップ挿入部にポンプにより圧力をかけることで、より正確な血圧測定を同時に行うことが可能である。なお、これらのセンサである場合、測定者の体温を測定する体温検出手段として、高精度温度センサ等の体温計として用いることができる手段を更に備えていることが望ましい。      
【００７９】
また、本発明の実施の形態に係る測定装置１は、立位で測定し、足裏の電極部と測定者が握る電極部とで生体電気インピーダンスを測定するように説明したが、これに限られない。
たとえば、被験者が横になった状態で、電極を身体の各所に貼り付けて測定を行うことが可能である。これにより、下肢に障害がある測定者についても、スムーズに生体電気インピーダンスを測定することが可能になる。
この場合、脈波センサの貼り付け位置も、測定者の腕や静脈等に貼り付けることが可能になる。
【００８０】
また、本発明の実施の形態に係る測定装置１は、タッチパネル２ｆと表示装置７が別々であるように説明したが、これが一体になっていてもよい。
たとえば、タッチパネル２ｆと表示装置７が一体になっている場合、上述のステップＳ１０８で、測定者が必要な情報にアクセスするのが簡単になる。
たとえば、体組成と血液年齢の変化等をグラフ等で表示する場合、どの情報を表示するのかを、測定者が簡単に選ぶことが可能になる。
【００８１】
また、本測定装置１は測定結果を図示しない他のコンピュータに送信でき、他のコンピュータは補助記憶装置であるＨＤＤ等の不揮発性の記憶手段を備えているため、この経時的な観測のデータをチェックすることを簡便に行うことができる。
さらに、体組成の測定が簡便なため、体組成の経時的変化を追跡するのに適している。これより、スポーツジム等に設置すると、体脂肪率等の減少を視覚的に把握することができるため、測定者の意欲を増進させることが可能である。
加えて、本測定装置１は、従来技術１の生体電気インピーダンス測定装置と異なり、記憶装置２４のＲＯＭ内に児童やお年寄りを含む被験者の回帰式を記憶している。このため、児童やお年寄りの体組成についても正確に測定することができる。
【００８２】
なお、上記実施の形態の構成及び動作は例であって、本発明の趣旨を逸脱しない範囲で適宜変更して実行することができることは言うまでもない。
【図面の簡単な説明】
【００８３】
【図１】本発明の実施の形態に係る測定装置１の外部構成を示す外観斜視図である。
【図２】本発明の実施の形態に係るグリップ１３の外部構成を示す外観斜視図である。
【図３】本発明の実施の形態に係る測定装置１の内部構成を示すブロック図である。
【図４】本発明の実施の形態に係る測定装置１の測定手順および動作の概要を示すフローチャートである。
【図５】本発明の実施の形態に係る測定装置１の体温及び脈波測定の方法を示すフローチャートである。
【図６】生体電気インピーダンスを表す等価回路図である。
【図７】生体電気インピーダンスベクトル軌跡を表すグラフ図である。
【図８】本発明の実施の形態に係る測定装置１の心拍数による補正の概念を示すグラフである。
【図９】本発明の実施の形態に係る測定装置１の体温による補正の概念を示すグラフである。
【図１０】本発明の実施の形態に係る測定装置１のメタボリックシンドローム度の表示例である。
【図１１】本発明の実施の形態に係るグリップの他の形態を示す外観斜視図である。
【符号の説明】
【００８４】
１  測定装置
２  入力部
２ａ、２ｂ、２ｃ、２ｄ  個人別測定用キー
２ｅ  体重測定専用キー
２ｆ  タッチパネル
３、４  電極部
３ａ、４ａ、１３ａ、１４ａ  電流印加電極
３ｂ、４ｂ、１３ｂ、１４ｂ  電圧測定電極
７  表示装置
８  載せ台
９  基台
１３、１４、１３１、１３２、１３３  グリップ
１５、１６  コード
１７  センサ
２０  電極切替装置
２１  電流供給装置
２２  電圧測定装置
２４  記憶装置
２５  演算制御装置
２６  体重測定装置
２８  電源装置
６０  通信装置
【図１】
2009005842.tif 000003
【図２】
2009005842.tif 000004
【図３】
2009005842.tif 000005
【図４】
2009005842.tif 000006
【図５】
2009005842.tif 000007
【図６】
2009005842.tif 000008
【図７】
2009005842.tif 000009
【図８】
2009005842.tif 000010
【図９】
2009005842.tif 000011
【図１０】
2009005842.tif 000012
【図１１】
2009005842.tif 000013